(57)【要約】【課題】  気化器からの燃料排出路には、構成の非常に簡単なドレン流量制限手段を設けるだけで済ませることにより、気化器からの燃料ドレン装置の構造を簡素化する。【解決手段】  燃料ドレン口６から燃料排出路７の終端部８に至るまでの間の少なくとも一部にドレン流量制限手段９を設ける。このドレン流量制限手段９は、気化器１のフロート室５から燃料タンク２へ向かって燃料排出路７内を流れる燃料ドレン流量Ｑ７を、燃料供給ポンプ４から気化器１のフロート室５へ向かって燃料供給路３内を流れる燃料供給流量Ｑ３よりも小さい値に設定するように構成した。【選択図】  図１
2005105838.tif 000002
【特許請求の範囲】
【請求項１】
ガソリンエンジンの気化器(１)よりも低い位置に燃料タンク(２)を設け、燃料タンク(２)内の燃料を燃料供給路(３)を通じて燃料供給ポンプ(４)により気化器(１)のフロート室(５)に供給するように構成し、
エンジンの停止時に、気化器(１)のフロート室(５)内の燃料をフロート室(５)の下部の燃料ドレン口(６)から少なくとも燃料排出路(７)を経て燃料タンク(２)へ流出させるように構成した、
ガソリンエンジンの気化器からの燃料ドレン装置において、
前記燃料ドレン口(６)から燃料排出路(７)の終端部(８)に至るまでの間の少なくとも一部にドレン流量制限手段(９)を設け、  このドレン流量制限手段(９)は、気化器(１)のフロート室(５)から燃料タンク(２)へ向かって燃料排出路(７)内を流れる燃料ドレン流量(Ｑ７)を、燃料供給ポンプ(４)から気化器(１)のフロート室(５)へ向かって燃料供給路(３)内を流れる燃料供給流量(Ｑ３)よりも小さい値に設定するように構成した、
ことを特徴とするガソリンエンジンの気化器からの燃料ドレン装置。
【請求項２】
請求項１に記載のガソリンエンジンの気化器からの燃料ドレン装置において、
前記ドレン流量制限手段(９)は流路絞り孔(10)から成り、  この流路絞り孔(10)の通路断面積は前記燃料供給路(３)および燃料排出路(７)の各通路断面積よりも小さい値に設定した、
ことを特徴とするガソリンエンジンの気化器からの燃料ドレン装置。
【請求項３】
請求項２に記載のガソリンエンジンの気化器からの燃料ドレン装置において、
前記流路絞り孔(10)は流路絞り筒(11)の筒孔で形成し、  この流路絞り筒(10)は独立部品として形成して前記ドレン口(６)から燃料排出路(７)の終端部(８)に至るまでの間に内嵌させて設けた、
ことを特徴とするガソリンエンジンの気化器からの燃料ドレン装置。
【請求項４】
請求項２に記載のガソリンエンジンの気化器からの燃料ドレン装置において、
前記流路絞り孔(10)は前記ドレン口(６)の長さ方向の少なくとも一部の長さ部分で形成した、
ことを特徴とするガソリンエンジンの気化器からの燃料ドレン装置。
【請求項５】
請求項１・２・３または４に記載のガソリンエンジンの気化器からの燃料ドレン装置において、
前記燃料排出路(７)の終端部(８)は前記燃料供給路(３)のうちの前記燃料供給ポンプ(４)よりも上流側の上流側燃料供給路部分(３Ａ)に接続した、
ことを特徴とするガソリンエンジンの気化器からの燃料ドレン装置。
【発明の詳細な説明】
【技術分野】
【０００１】
本発明は、ガソリンエンジンの運転停止時に、気化器のフロート室内の燃料を燃料タンクへ排出する、ガソリンエンジンの気化器からの燃料ドレン装置に関する。
【背景技術】
【０００２】
［燃料ドレン装置の必要性］
周知のように、ガソリンエンジンを長期保管する場合、気化器のフロート室内の燃料を燃料タンクへ排出することが、行われている。  その理由は、エンジンの長期保管中に、フロート室内にガソリンが残されたままでは、このガソリンの揮発成分が蒸発してガム質成分が残り、このガム質成分が気化器のメインジェットを詰まらせてしまい、エンジンを始動できなくしてしまう問題が起こる。  このエンジン始動不能の問題をなくすために、従来から気化器のフロート室内の燃料を燃料タンクへ排出することが行われているのである。
【０００３】
［前提構成］
本発明のガソリンエンジンの気化器からの燃料ドレン装置は、例えば図１（本発明）、または図４（従来技術１）に示すように、次の前提構成を有するものを対象とする。
【０００４】
図１は、本発明のガソリンエンジンの気化器からの燃料ドレン装置の実施形態１を示す、ガソリンエンジンの気化器への燃料供給装置および気化器からの燃料ドレン装置の全体の正面図である。  図４は従来技術１のガソリンエンジンの気化器への燃料供給装置および気化器からの燃料ドレン装置の全体の正面図である。
【０００５】
ガソリンエンジンの気化器(１)よりも低い位置に燃料タンク(２)を設ける。燃料タンク(２)内の燃料を燃料供給路(３)を通じて燃料供給ポンプ(４)により気化器(１)のフロート室(５)に供給するように構成する。
【０００６】
エンジンの停止時に、気化器(１)のフロート室(５)内の燃料をフロート室(５)の下部の燃料ドレン口(６)から少なくとも燃料排出路(７)を経て燃料タンク(２)へ流出させるように構成したものである。
【０００７】
［従来の技術］
上記前提構成において、エンジンの停止中にフロート室(５)内の燃料を燃料タンク(２)へ排出するための構成として、従来技術では次のものがある。
【０００８】
○  従来技術１．  図４・図５参照．  特開平８−８２２４７号公報．
図４は従来技術１のガソリンエンジンの気化器への燃料供給装置および気化器からの燃料ドレン装置の全体の正面図である。図５は図４のＶ部分の拡大断面図である。図５（Ａ）はエンジン運転時の負圧コックの閉弁状態を示す。図５（Ｂ）はエンジン停止時の負圧コックの開弁状態を示す。
【０００９】
前記燃料排出路(７)の途中部分に負圧コック(51)を介在させる。この負圧コック(51)は、その弁体(52)が開弁バネ(53)で開弁付勢されるのに対して、負圧作動室(54)の負圧で閉弁駆動されるように構成されている。この負圧作動室(54)は通気路(55)を介してエンジンの吸気路(56)に連通されている。
【００１０】
エンジンの運転時には、図５（Ａ）に示すように、負圧作動室(54)の負圧作動力で弁体(52)が閉じられて、気化器(１)のフロート室(５)内の燃料がドレンされない。エンジンの停止時には、図５（Ｂ）に示すように、開弁バネ(53)のバネ力で弁体(52)が開かれて、気化器(１)のフロート室(５)内の燃料がドレンされるものである。
【００１１】
この従来技術１では、次の問題がある。
エンジンの運転停止時に、気化器(１)のフロート室(５)内の燃料を燃料タンク(２)へ排出するための燃料ドレン装置は、燃料排出路(７)に設ける負圧コック(51)と、この負圧コック(51)の負圧作動室(54)をエンジンの吸気路(56)に連通させる通気路(55)とが必要である分だけ、その構造が複雑になり、製造コストが高くつく。
【００１２】
【特許文献１】特開平８−８２２４７号公報．
【発明の開示】
【発明が解決しようとする課題】
【００１３】
本発明の課題は、次のようにすることにある。
（イ）．  燃料排出路には構成の非常に簡単なドレン流量制限手段を設けるだけで済ませることにより、気化器からの燃料ドレン装置の構造を簡素化できるようにする。
（ロ）．  ドレン流量制限手段は、流量絞り孔で構成することにより、その構成を極めて簡単で、安価に製造できるようにする。
【００１４】
（ハ）．  流量絞り孔は、流量絞り筒の筒孔で形成することにより、筒体の寸法切り加工により高精度に簡単に量産できるようにする。
（ニ）．  流量絞り孔は燃料ドレン口の長さ方向の少なくとも一部の長さ部分で形成することにより、この流量絞り孔は燃料ドレン口の周壁を利用して極めて簡単に安価に製造できるようにする。
【００１５】
（ホ）．  燃料供給路の上流側燃料供給路部分のうちのエンジンのすぐ近くにまで配管されてきた部分に、燃料排出路の終端部を接続することにより、燃料排出路の全長を大幅に短縮できるようにする。
【課題を解決するための手段】
【００１６】
本発明のガソリンエンジンの気化器からの燃料ドレン装置は、上記前提構成において、上記課題を解決するために、例えば図１−図３に示すように、エンジンの停止中にフロート室(５)内の燃料を燃料タンク(２)へ排出するための構成として、次の特徴構成を追加したことを特徴とする。
【００１７】
図１・図２は本発明のガソリンエンジンの気化器からの燃料ドレン装置の実施形態１を示す。図１はガソリンエンジンの気化器への燃料供給装置および気化器からの燃料ドレン装置の全体の正面図である。図２は図１のII部分の拡大断面図である。  図３は、本発明のガソリンエンジンの気化器からの燃料ドレン装置の実施形態２を示す、図１のII部分の拡大断面図である。
【００１８】
○  請求項１の発明．  図１・図２、または図３参照．
前記燃料ドレン口(６)から燃料排出路(７)の終端部(８)に至るまでの間の少なくとも一部にドレン流量制限手段(９)を設ける。このドレン流量制限手段(９)は、気化器(１)のフロート室(５)から燃料タンク(２)へ向かって燃料排出路(７)内を流れる燃料ドレン流量(Ｑ７)を、燃料供給ポンプ(４)から気化器(１)のフロート室(５)へ向かって燃料供給路(３)内を流れる燃料供給流量(Ｑ３)よりも小さい値に設定するように構成した、ことを特徴とする。
【００１９】
○  請求項２の発明．  図１・図２、または図３参照．
請求項２の発明は、上記請求項１の発明において、次の特徴構成を追加したことを特徴とする。
前記ドレン流量制限手段(９)は流路絞り孔(10)から成る。この流路絞り孔(10)の通路断面積は前記燃料供給路(３)および燃料排出路(７)の各通路断面積よりも小さい値に設定した、ことを特徴とする。
【００２０】
○  請求項３の発明．  図１・図２参照．
請求項３の発明は、上記請求項２の発明において、次の特徴構成を追加したことを特徴とする。
前記流路絞り孔(10)は流路絞り筒(11)の筒孔で形成する。この流路絞り筒(10)は独立部品として形成して前記ドレン口(６)から燃料排出路(７)の終端部(８)に至るまでの間に内嵌させて設けた、ことを特徴とする。
【００２１】
○  請求項４の発明．  図１・図３参照．
請求項４の発明は、上記請求項２の発明において、次の特徴構成を追加したことを特徴とする。
前記流路絞り孔(10)は前記ドレン口(６)の長さ方向の少なくとも一部の長さ部分で形成した、ことを特徴とする。
【００２２】
○  請求項５の発明．  図１参照．
請求項５の発明は、上記請求項１・２・３・または４の発明において、次の特徴構成を追加したことを特徴とする。
前記燃料排出路(７)の終端部(８)は前記燃料供給路(３)のうちの前記燃料供給ポンプ(４)よりも上流側の上流側燃料供給路部分(３Ａ)に接続した、ことを特徴とする。
【発明の効果】
【００２３】
本発明のガソリンエンジンの気化器からの燃料ドレン装置は、つぎの効果を奏する。
○  請求項１の発明．  図１・図２、または図３参照．
［  効果イ．  燃料排出路(７)には、構成の非常に簡単なドレン流量制限手段(９)を設けるだけで済み、従来技術１（図４・図５）に必要な負圧コック(51)および通気路(55)を設けなくて済むようになった分だけ、気化器からの燃料ドレン装置の構造を簡素化できる。  ］
【００２４】
エンジンの運転中において、気化器(１)のフロート室(５)内の燃料の一部が燃料ドレン口(６)から燃料排出路(７)へ、ドレン流量制限手段(９)で流量制限されながら常に流れ出しているが、フロート室(５)内の燃料は燃料供給ポンプ(４)から供給される燃料により規定油面高さに維持されるので、気化器(１)からエンジンの燃焼室への燃料供給は正常に保たれる。
【００２５】
エンジンの停止時には、フロート室(５)内の燃料の全部が燃料ドレン口(６)から燃料排出路(７)を通って燃料タンク(２)へ重力により流れ出して行く。
【００２６】
以上により、燃料排出路(７)には、構成の非常に簡単なドレン流量制限手段(９)を設けるだけで済み、前記従来技術１（図４・図５）に必要な負圧コック(51)および通気路(55)を設けなくて済むようになった分だけ、気化器からの燃料ドレン装置の構造を簡素化することができる。
【００２７】
○  請求項２の発明．  図１・図２、または図３参照．
請求項２の発明は、上記請求項１の発明の［効果イ］に加えて、次の効果を奏する。
［  効果ロ．  ドレン流量制限手段(８)は、流量絞り孔(10)から成るので、その構成が極めて簡単で、安価に製造できる。  ］
【００２８】
○  請求項３の発明．  図１・図２参照．
請求項３の発明は、上記請求項１の発明の［効果イ］、および上記請求項２の発明の［効果ロ］に加えて、つぎの効果を奏する。
［  効果ハ．  流量絞り孔(10)は流量絞り筒(11)の筒孔で形成するので、この流量絞り孔(10)は筒体の寸法切り加工により高精度に簡単に量産できる。  ］
【００２９】
○  請求項４の発明．  図１・図３参照．
請求項４の発明は、上記請求項１の発明１の［効果イ］、および上記請求項２の発明の［効果ロ］に加えて、つぎの効果を奏する。
［  効果ニ．  流量絞り孔(10)は燃料ドレン口(６)の長さ方向の少なくとも一部の長さ部分で形成したので、この流量絞り孔(10)は燃料ドレン口(６)の周壁を利用して極めて簡単に安価に製造できる。  ］
【００３０】
○  請求項５の発明．  図１参照．
請求項５の発明は、上記請求項１の発明の［効果イ］に加えて、次の効果を奏する。
［  効果ホ．  燃料供給路(３)の上流側燃料供給路部分(３Ａ)のうちのエンジンのすぐ近くにまで配管されてきた部分に、燃料排出路(７)の終端部(８)を接続することにより、燃料排出路(７)の全長を大幅に短縮できる。  ］
【００３１】
エンジンを搭載する各種の作業機械のうち、その種類などによっては、エンジンから燃料タンク(２)を遠く離して搭載される場合がある。  この場合において、燃料排出路(７)の終端部(８)を燃料タンク(２)に直接接続する構造では、燃料排出路(７)の全長が長くなる。
【００３２】
この請求項５の発明においては、燃料供給路(３)の上流側燃料供給路部分(３Ａ)のうちのエンジンのすぐ近くにまで配管されてきた部分に、燃料排出路(７)の終端部(８)を接続することにより、燃料排出路(７)の全長を大幅に短縮することができる。
【発明を実施するための最良の形態】
【００３３】
以下、本発明のガソリンエンジンの気化器からの燃料ドレン装置の実施の形態を、図面に基づき説明する。
【００３４】
○  実施形態１．  請求項１・２・３・および５の発明．  図１・図２参照．
図１・図２は本発明のガソリンエンジンの気化器からの燃料ドレン装置の実施形態１を示す。図１はガソリンエンジンの気化器への燃料供給装置および気化器からの燃料ドレン装置の全体の正面図である。図２は図１のII部分の拡大断面図である。
【００３５】
図１に示すように、ガソリンエンジン(ＧＥ)の気化器(１)よりも低い位置に燃料タンク(２)を設ける。燃料タンク(２)内の燃料を、燃料フィルタ(21)・燃料供給路(３)を通じて、脈圧作動式の燃料供給ポンプ(４)により気化器(１)のフロート室(５)に供給するように構成する。この脈圧作動式の燃料供給ポンプ(４)は、エンジンのクランク室(20)内の脈圧により駆動される。
【００３６】
エンジンの停止時に、気化器(１)のフロート室(５)内の燃料をフロート室(５)の下部の燃料ドレン口(６)から少なくとも燃料排出路(７)を経て燃料タンク(２)へ流出させるように構成する。
【００３７】
前記燃料ドレン口(６)内にドレン流量制限手段(９)を設ける。このドレン流量制限手段(９)は、気化器(１)のフロート室(５)から燃料タンク(２)へ向かって燃料排出路(７)内を流れる燃料ドレン流量(Ｑ７)を、燃料供給ポンプ(４)から気化器(１)のフロート室(５)へ向かって燃料供給路(３)内を流れる燃料供給流量(Ｑ３)よりも小さい値に設定するように構成する。
【００３８】
図２に示すように、前記ドレン流量制限手段(９)は流路絞り孔(10)から成る。この流路絞り孔(10)の通路断面積は前記燃料供給路(３)および燃料排出路(７)の各通路断面積よりも小さい値に設定する。
【００３９】
前記流路絞り孔(10)は流路絞り筒(11)の筒孔で形成する。この流路絞り筒(10)は独立部品として形成して前記ドレン口(６)に内嵌させて設けた。
図１に示すように、前記燃料排出路(７)の終端部(８)は前記燃料供給路(３)のうちの前記燃料供給ポンプ(４)よりも上流側の上流側燃料供給路部分(３Ａ)に、Ｔ形管継ぎ手(22)で接続したものである。
【００４０】
○  実施形態２．  請求項１・２・および４の発明．  図１・図３参照．
この実施形態２は、上記実施形態１の構成において、その一部を次のように変更したものである。
【００４１】
図３は、本発明のガソリンエンジンの気化器からの燃料ドレン装置の実施形態２を示す、図１のII部分の拡大断面図である。
この図３に示すように、前記流路絞り孔(10)は前記ドレン口(６)の長さ方向の下半部分で形成したものである。
【００４２】
○  実施形態３．  請求項１・２・および３、または４の発明．  図１参照．
この実施形態３は、上記実施形態１または２の構成において、その一部を次のように変更したものである。
【００４３】
図１において、破線図(８Ａ)で示すように、燃料排出路(７)の終端部(８)を燃料タンク(２)に直接接続したものである。
【００４４】
○  実施形態４．  請求項１・または５の発明．  図は省略．
この実施形態４は、上記実施形態１または２の構成において、その一部を次のように変更したものである。
【００４５】
前記ドレン流量制限手段(９)は、前記流路絞り孔(10)で構成する代わりに、合成樹脂ホース製またはゴムホース製の細い燃料排出路(７)自体で構成したものである。
【産業上の利用可能性】
【００４６】
本発明は、ガソリンエンジンの燃料供給装置において、エンジンの運転停止時に、気化器のフロート室内の燃料を燃料タンクへ排出する、ガソリンエンジンの気化器からの燃料ドレン装置として利用される。
【図面の簡単な説明】
【００４７】
【図１】図１・図２は本発明のガソリンエンジンの気化器からの燃料ドレン装置の実施形態１を示す。  図１はガソリンエンジンの気化器への燃料供給装置および気化器からの燃料ドレン装置の全体の正面図である。
【図２】図１のII部分の拡大断面図。
【図３】本発明のガソリンエンジンの気化器からの燃料ドレン装置の実施形態２を示す図１のII部分の拡大断面図。
【００４８】
【図４】従来技術１のガソリンエンジンの気化器への燃料供給装置および気化器からの燃料ドレン装置の全体の正面図。
【図５】図５は図４のＶ部分の拡大断面図である。  図５（Ａ）はエンジン運転時の負圧コックの閉弁状態を示す。  図５（Ｂ）はエンジン停止時の負圧コックの開弁状態を示す。
【符号の説明】
【００４９】
１…気化器、  ２…燃料タンク、  ３…燃料供給路、  ３Ａ…上流側燃料供給路部分、  ４…燃料供給ポンプ、  ５…フロート室、  ６…燃料ドレン口、  ７…燃料排出路、  ８…７の終端部、  ９…ドレン流量制限手段、  １０…流路絞り孔、  １１…流路絞り筒、  Ｑ３…燃料供給流量、  Ｑ７…燃料ドレン流量。
【図１】
2005105838.tif 000003
【図２】
2005105838.tif 000004
【図３】
2005105838.tif 000005
【図４】
2005105838.tif 000006
【図５】
2005105838.tif 000007